(57)【特許請求の範囲】
【請求項１】
画像を表示する表示手段と、前記表示手段の表示領域内の指示座標を検出する座標検出手段とを備え、前記座標検出手段が検出する指示座標に基づく処理を実行する画像形成装置であって、
各種の画像を表示する複数の第１領域と前記複数の第１領域の各々と重複しない第２領域が定められている画面を複数備え、前記複数の画面のうち、何れか１つを切り替えて前記表示手段に表示させる表示制御手段と、
前記座標検出手段が検出した指示座標に基づいて、前記指示座標の入力態様を判断する判断手段と、
前記座標検出手段が前記第２領域内で検出した指示座標に基づいて前記判断手段が判断した入力態様が第１入力態様であることを条件として、前記第１入力態様で入力された指示座標が検出された時点において前記表示手段に表示されている画面を識別する識別情報を、特定画面の識別情報として記憶部に記憶させる記憶制御手段と、
前記座標検出手段が前記第２領域内で検出した指示座標に基づいて前記判断手段が判断した入力態様が前記第１入力態様と異なる第２入力態様であることを条件として所定の指示の入力を受け付け、前記所定の指示の入力を受け付けることに応じて、前記記憶部に記憶されている前記特定画面の識別情報の各々に関連する識別画像を前記表示手段に表示させ、前記識別画像の何れかの選択を受け付ける受付手段と、
を備え、
前記表示制御手段は、前記受付手段で選択された識別画像に関連する特定画面を前記表示手段に表示させることを特徴とする画像形成装置。
【請求項２】
前記表示制御手段は、前記表示手段に表示させる画面の識別情報が前記特定画面の識別情報として前記記憶部に記憶されている場合には、前記第２領域に前記特定画面であることを報知する報知画像を表示することを特徴とする請求項１に記載の画像形成装置。
【請求項３】
前記記憶制御手段は、前記特定画面の識別情報が記憶された日時に関する日時情報を、前記特定画面の識別情報に対応付けて前記記憶部に記憶させ、
前記受付手段は、複数の前記特定画面の識別情報の各々に関連する識別画像を、前記日時情報に基づいた順番で前記表示手段に表示させることを特徴とする請求項１または２に記載の画像形成装置。
【請求項４】
前記画像形成装置は複数の機能を備えており、
前記複数の画面の各々は、前記複数の機能の何れかに対応付けられており、
前記受付手段は、前記所定の指示の入力が検出された時点において前記表示手段に表示されている画面と同一の機能に対応付けられている特定画面の識別情報を抽出し、抽出した特定画面の識別情報の各々に関連する識別画像を前記表示手段に表示させることを特徴とする請求項１〜３の何れか１項に記載の画像形成装置。
【請求項５】
前記画像形成装置は、複数のユーザのうちの何れのユーザによって使用されているかを識別するユーザ識別手段をさらに備え、
前記記憶制御手段は、前記特定画面の識別情報が記憶された時点において前記画像形成装置を使用しているユーザを識別するユーザ識別情報を、前記特定画面の識別情報に対応付けて前記記憶部に記憶させ、
前記受付手段は、前記所定の指示の入力が検出された時点において画像形成装置を使用しているユーザに関するユーザ識別情報に対応付けられている特定画面の識別情報を抽出し、抽出した特定画面の識別情報の各々に関連する識別画像を前記表示手段に表示させることを特徴とする請求項１〜４の何れか１項に記載の画像形成装置。
【請求項６】
前記画像形成装置は複数の機能を備えており、
前記複数の画面の各々は、前記複数の機能の何れかに対応付けられており、
前記画像形成装置は、該画像形成装置で使用されている機能を検出する機能検出手段をさらに備え、
前記受付手段は、前記所定の指示の入力が検出された時点において、前記機能検出手段で検出された機能に対応付けられている特定画面の識別情報を抽出し、抽出した特定画面の識別情報の各々に関連する識別画像を前記表示手段に表示させることを特徴とする請求項１〜５の何れか１項に記載の画像形成装置。
【請求項７】
画像を表示する表示手段と、前記表示手段の表示領域内の指示座標を検出する座標検出手段とを備え、前記座標検出手段が検出する指示座標に基づく処理を実行する画像形成装置の制御方法であって、
各種の画像を表示する複数の第１領域と前記複数の第１領域の各々と重複しない第２領域が定められている画面を複数備え、前記複数の画面のうち、何れか１つを切り替えて前記表示手段に表示させる表示制御ステップと、
前記座標検出手段が検出した指示座標に基づいて、前記指示座標の入力態様を判断する判断ステップと、
前記座標検出手段が前記第２領域内で検出した指示座標に基づいて前記判断ステップが判断した入力態様が第１入力態様であることを条件として、前記第１入力態様で入力された指示座標が検出された時点において前記表示手段に表示されている画面を識別する識別情報を、特定画面の識別情報として記憶部に記憶させる記憶制御ステップと、
前記座標検出手段が前記第２領域内で検出した指示座標に基づいて前記判断ステップが判断した入力態様が前記第１入力態様と異なる第２入力態様であることを条件として所定の指示の入力を受け付け、前記所定の指示の入力を受け付けることに応じて、前記記憶部に記憶されている前記特定画面の識別情報の各々に関連する識別画像を前記表示手段に表示させ、前記識別画像の何れかの選択を受け付ける受付ステップと、
を備え、
前記表示制御ステップは、前記受付ステップで選択された識別画像に関連する特定画面を前記表示手段に表示させることを特徴とする制御方法。
【請求項８】
画像を表示する表示手段と、前記表示手段の表示領域内の指示座標を検出する座標検出手段とを備え、前記座標検出手段が検出する指示座標に基づく処理を実行する画像形成装置のコンピュータが読み取り可能なプログラムであって、
前記コンピュータを、
各種の画像を表示する複数の第１領域と前記複数の第１領域の各々と重複しない第２領域が定められている画面を複数備え、前記複数の画面のうち、何れか１つを切り替えて前記表示手段に表示させる表示制御手段と、
前記座標検出手段が検出した指示座標に基づいて、前記指示座標の入力態様を判断する判断手段と、
前記座標検出手段が前記第２領域内で検出した指示座標に基づいて前記判断手段が判断した入力態様が第１入力態様であることを条件として、前記第１入力態様で入力された指示座標が検出された時点において前記表示手段に表示されている画面を識別する識別情報を、特定画面の識別情報として記憶部に記憶させる記憶制御手段と、
前記座標検出手段が前記第２領域内で検出した指示座標に基づいて前記判断手段が判断した入力態様が前記第１入力態様と異なる第２入力態様であることを条件として所定の指示の入力を受け付け、前記所定の指示の入力を受け付けることに応じて、前記記憶部に記憶されている前記特定画面の識別情報の各々に関連する識別画像を前記表示手段に表示させ、前記識別画像の何れかの選択を受け付ける受付手段と、
して機能させ、
前記表示制御手段は、前記受付手段で選択された識別画像に関連する特定画面を前記表示手段に表示させることを特徴とするプログラム。
【請求項９】
画像を表示する表示手段と、前記表示手段の表示領域内の指示座標を検出する座標検出手段とを備え、前記座標検出手段が検出する指示座標に基づく処理を実行する表示装置であって、
各種の画像を表示する複数の第１領域と前記複数の第１領域の各々と重複しない第２領域が定められている画面を複数備え、前記複数の画面のうち、何れか１つを切り替えて前記表示手段に表示させる表示制御手段を備え、
前記表示装置は複数の機能を備えており、
前記複数の画面の各々は、前記複数の機能の何れかに対応付けられており、
前記座標検出手段が検出した指示座標に基づいて、前記指示座標の入力態様を判断する判断手段と、
前記座標検出手段が前記第２領域内で検出した指示座標に基づいて前記判断手段が判断した入力態様が第１入力態様であることを条件として、前記第１入力態様で入力された指示座標が検出された時点において前記表示手段に表示されている画面を識別する識別情報を、特定画面の識別情報として記憶部に記憶させる記憶制御手段と、
所定の指示の入力を受け付けることに応じて、前記所定の指示の入力が検出された時点において前記表示手段に表示されている画面と同一の機能に対応付けられている特定画面の識別情報を抽出し、抽出した特定画面の識別情報の各々に関連する識別画像を前記表示手段に表示させ、前記識別画像の何れかの選択を受け付ける受付手段と、
を備え、
前記表示制御手段は、前記受付手段で選択された識別画像に関連する特定画面を前記表示手段に表示させることを特徴とする表示装置。
【発明の詳細な説明】
【技術分野】
【０００１】
本願は、各種の画像を形成する画像形成装置、画像形成装置の制御方法、プログラムおよび表示装置に関する。
【背景技術】
【０００２】
１つの操作画面に対して多くの情報を表示するための工夫として、例えば、階層構造のメニュー表示化を行う方法がある。階層構造では、ある階層の表示画面内のボタン画像を選択すると次の階層の画面に遷移する。次の階層の画面には、別のボタン画像が複数表示される。
【０００３】
従来、階層構造のメニュー表示を行う場合に、メニューの遷移履歴を含む操作履歴を保存することが可能な各種装置が開示されている。このような各種装置では、メニューの遷移履歴を含む操作履歴一覧を、ディスプレイに表示させることができる。そして操作キー部からの操作により、メニューの遷移履歴の項目から所望のメニュー項目を選択することで、選択されたメニュー項目のある階層の画面に遷移させることができる。また、関連する技術が、特許文献１に開示されている。
【先行技術文献】
【特許文献】
【０００４】
【特許文献１】特開２００８−２９３２４３号公報
【発明の概要】
【発明が解決しようとする課題】
【０００５】
特許文献１の技術では、全ての操作の履歴が保存される場合がある。この場合、保存されている操作履歴の数が多くなる結果、所望の操作履歴を見つけ出すことが困難になる場合がある。本明細書では、このような不便性を解消することができる技術を提供する。
【課題を解決するための手段】
【０００６】
本願に記載の画像形成装置は、画像を表示する表示手段と、表示手段の表示領域内の指示座標を検出する座標検出手段とを備え、座標検出手段が検出する指示座標に基づく処理を実行する画像形成装置であって、各種の画像を表示する複数の第１領域と複数の第１領域の各々と重複しない第２領域が定められている画面を複数備え、複数の画面のうち、何れか１つを切り替えて表示手段に表示させる表示制御手段と、座標検出手段が検出した指示座標に基づいて、指示座標の入力態様を判断する判断手段と、座標検出手段が第２領域内で検出した指示座標に基づいて判断手段が判断した入力態様が第１入力態様であることを条件として、第１入力態様で入力された指示座標が検出された時点において表示手段に表示されている画面を識別する識別情報を、特定画面の識別情報として記憶部に記憶させる記憶制御手段と、座標検出手段が第２領域内で検出した指示座標に基づいて判断手段が判断した入力態様が第１入力態様と異なる第２入力態様であることを条件として所定の指示の入力を受け付け、所定の指示の入力を受け付けることに応じて、記憶部に記憶されている特定画面の識別情報の各々に関連する識別画像を表示手段に表示させ、識別画像の何れかの選択を受け付ける受付手段と、を備え、表示制御手段は、受付手段で選択された識別画像に関連する特定画面を表示手段に表示させることを特徴とする。
【０００７】
本願に記載の画像形成装置では、階層化された多くの画面が存在する場合において、表示させたい画面を特定画面として予め記憶させることができる。また、所定の指示を入力することで、複数の特定画面の各々に関連する識別画像を、表示手段に表示させることができる。そして、複数の識別画像の何れかの選択を受け付けることで、選択された識別画像に関連する特定画面を表示手段に表示させることができる。これにより、特定画面として記憶させた画面を、階層構造を辿る場合に比して簡易な手続きで表示させることができる。よって、ユーザが表示させたい画面を速やかに表示させることができるため、ユーザの利便性を向上させることができる。
【０００８】
請求項２に記載の画像形成装置では、特定画面として記憶されている画面が表示手段に表示されている場合には、当該画面の第２領域に報知画像を表示することができる。これにより、表示されている画面が特定画面に設定されているか否かを容易に認識することができるため、同一の画面を重複して特定画面に設定してしまう事態等を防止することができる。
【０００９】
請求項３に記載の画像形成装置によれば、日時情報に基づいた順番（例：新しいもの順、古いもの順、等）で、識別画像を表示することができる。これにより、複数の識別画像の中からユーザが表示を所望する識別画像を見つけ易くすることができる。
【００１０】
請求項４に記載の画像形成装置によれば、画像形成装置で現在使用中の機能に関連する識別画像を、複数の識別画像の中から抽出した上で表示することができる。これにより、ユーザが表示を所望する識別画像を見つけ易くすることができる。
【００１１】
請求項５に記載の画像形成装置によれば、画像形成装置を現在使用中のユーザが記憶させた特定画面の識別画像を、複数の識別画像の中から抽出した上で表示することができる。これにより、ユーザが表示を所望する識別画像を見つけ易くすることができる。
【００１２】
請求項６に記載の画像形成装置によれば、画像形成装置で現在使用中の機能に関連する識別画像を、複数の識別画像の中から抽出した上で表示することができる。これにより、ユーザが表示を所望する識別画像を見つけ易くすることができる。
【００１３】
本明細書に記載の画像形成装置によれば、第２領域を、特定画面の設定入力を受け付ける領域と、所定の指示の入力を受け付ける領域とで共用することができる。これにより、所定の指示の入力を受け付けるための専用の領域やボタン等を、不用にすることができる。
【００１４】
なお、上記の画像形成装置を実現するための制御方法、コンピュータプログラム、及び、当該コンピュータプログラムを格納するコンピュータ読取可能記録媒体も、新規で有用である。
以下に、本明細書に記載の技術の特徴を列挙する。
［特徴１］
画像を表示する表示手段と、前記表示手段の表示領域内の指示座標を検出する座標検出手段とを備え、前記座標検出手段が検出する指示座標に基づく処理を実行する画像形成装置であって、
各種の画像を表示する複数の第１領域と前記複数の第１領域の各々と重複しない第２領域が定められている画面を複数備え、前記複数の画面のうち、何れか１つを切り替えて前記表示手段に表示させる表示制御手段と、
前記座標検出手段が前記第２領域内で検出する指示座標が第１入力態様であることを条件として、前記第１入力態様の指示座標が検出された時点において前記表示手段に表示されている画面を識別する識別情報を、特定画面の識別情報として記憶部に記憶させる記憶制御手段と、
所定の指示の入力を受け付けることに応じて、前記記憶部に記憶されている前記特定画面の識別情報の各々に関連する識別画像を前記表示手段に表示させ、前記識別画像の何れかの選択を受け付ける受付手段と、
を備え、
前記表示制御手段は、前記受付手段で選択された識別画像に関連する特定画面を前記表示手段に表示させることを特徴とする画像形成装置。
［特徴２］
前記表示制御手段は、前記表示手段に表示させる画面の識別情報が前記特定画面の識別情報として前記記憶部に記憶されている場合には、前記第２領域に前記特定画面であることを報知する報知画像を表示することを特徴とする特徴１に記載の画像形成装置。
［特徴３］
前記記憶制御手段は、前記特定画面の識別情報が記憶された日時に関する日時情報を、前記特定画面の識別情報に対応付けて前記記憶部に記憶させ、
前記受付手段は、複数の前記特定画面の識別情報の各々に関連する識別画像を、前記日時情報に基づいた順番で前記表示手段に表示させることを特徴とする特徴１または２に記載の画像形成装置。
［特徴４］
前記画像形成装置は複数の機能を備えており、
前記複数の画面の各々は、前記複数の機能の何れかに対応付けられており、
前記受付手段は、前記所定の指示の入力が検出された時点において前記表示手段に表示されている画面と同一の機能に対応付けられている特定画面の識別情報を抽出し、抽出した特定画面の識別情報の各々に関連する識別画像を前記表示手段に表示させることを特徴とする特徴１〜３の何れか１項に記載の画像形成装置。
［特徴５］
前記画像形成装置は、複数のユーザのうちの何れのユーザによって使用されているかを識別するユーザ識別手段をさらに備え、
前記記憶制御手段は、前記特定画面の識別情報が記憶された時点において前記画像形成装置を使用しているユーザを識別するユーザ識別情報を、前記特定画面の識別情報に対応付けて前記記憶部に記憶させ、
前記受付手段は、前記所定の指示の入力が検出された時点において画像形成装置を使用しているユーザに関するユーザ識別情報に対応付けられている特定画面の識別情報を抽出し、抽出した特定画面の識別情報の各々に関連する識別画像を前記表示手段に表示させることを特徴とする特徴１〜４の何れか１項に記載の画像形成装置。
［特徴６］
前記画像形成装置は複数の機能を備えており、
前記複数の画面の各々は、前記複数の機能の何れかに対応付けられており、
前記画像形成装置は、該画像形成装置で使用されている機能を検出する機能検出手段をさらに備え、
前記受付手段は、前記所定の指示の入力が検出された時点において、前記機能検出手段で検出された機能に対応付けられている特定画面の識別情報を抽出し、抽出した特定画面の識別情報の各々に関連する識別画像を前記表示手段に表示させることを特徴とする特徴１〜５の何れか１項に記載の画像形成装置。
［特徴７］
前記受付手段は、前記座標検出手段が前記第２領域内で検出する指示座標が前記第１入力態様と異なる第２入力態様であることを条件として、前記所定の指示の入力を受け付けることを特徴とする特徴１〜６に記載の画像形成装置。
［特徴８］
画像を表示する表示手段と、前記表示手段の表示領域内の指示座標を検出する座標検出手段とを備え、前記座標検出手段が検出する指示座標に基づく処理を実行する画像形成装置の制御方法であって、
各種の画像を表示する複数の第１領域と前記複数の第１領域の各々と重複しない第２領域が定められている画面を複数備え、前記複数の画面のうち、何れか１つを切り替えて前記表示手段に表示させる表示制御ステップと、
前記座標検出手段が前記第２領域内で検出する指示座標が第１入力態様であることを条件として、前記第１入力態様の指示座標が検出された時点において前記表示手段に表示されている画面を識別する識別情報を、特定画面の識別情報として記憶部に記憶させる記憶制御ステップと、
所定の指示の入力を受け付けることに応じて、前記記憶部に記憶されている前記特定画面の識別情報の各々に関連する識別画像を前記表示手段に表示させ、前記識別画像の何れかの選択を受け付ける受付ステップと、
を備え、
前記表示制御ステップは、前記受付ステップで選択された識別画像に関連する特定画面を前記表示手段に表示させることを特徴とする制御方法。
［特徴９］
画像を表示する表示手段と、前記表示手段の表示領域内の指示座標を検出する座標検出手段とを備え、前記座標検出手段が検出する指示座標に基づく処理を実行する画像形成装置のコンピュータが読み取り可能なプログラムであって、
前記コンピュータを、
各種の画像を表示する複数の第１領域と前記複数の第１領域の各々と重複しない第２領域が定められている画面を複数備え、前記複数の画面のうち、何れか１つを切り替えて前記表示手段に表示させる表示制御手段と、
前記座標検出手段が前記第２領域内で検出する指示座標が第１入力態様であることを条件として、前記第１入力態様の指示座標が検出された時点において前記表示手段に表示されている画面を識別する識別情報を、特定画面の識別情報として記憶部に記憶させる記憶制御手段と、
所定の指示の入力を受け付けることに応じて、前記記憶部に記憶されている前記特定画面の識別情報の各々に関連する識別画像を前記表示手段に表示させ、前記識別画像の何れかの選択を受け付ける受付手段と、
して機能させ、
前記表示制御手段は、前記受付手段で選択された識別画像に関連する特定画面を前記表示手段に表示させることを特徴とするプログラム。
［特徴１０］
画像を表示する表示手段と、前記表示手段の表示領域内の指示座標を検出する座標検出手段とを備え、前記座標検出手段が検出する指示座標に基づく処理を実行する表示装置であって、
各種の画像を表示する複数の第１領域と前記複数の第１領域の各々と重複しない第２領域が定められている画面を複数備え、前記複数の画面のうち、何れか１つを切り替えて前記表示手段に表示させる表示制御手段と、
前記座標検出手段が前記第２領域内で検出する指示座標が第１入力態様であることを条件として、前記第１入力態様の指示座標が検出された時点において前記表示手段に表示されている画面を識別する識別情報を、特定画面の識別情報として記憶部に記憶させる記憶制御手段と、
所定の指示の入力を受け付けることに応じて、前記記憶部に記憶されている前記特定画面の識別情報の各々に関連する識別画像を前記表示手段に表示させ、前記識別画像の何れかの選択を受け付ける受付手段と、
を備え、
前記表示制御手段は、前記受付手段で選択された識別画像に関連する特定画面を前記表示手段に表示させることを特徴とする表示装置。
【図面の簡単な説明】
【００１５】
【図１】多機能機の外観図および構成図である。
【図２】多機能機の動作を示すフローチャート（その１）である。
【図３】多機能機の動作を示すフローチャート（その２）である。
【図４】多機能機の動作を示すフローチャート（その３）である。
【図５】多機能機の動作を示すフローチャート（その４）である。
【図６】テーブル例である。
【図７】テーブル例である。
【図８】表示パネルの表示例（その１）である。
【図９】表示パネルの表示例（その２）である。
【図１０】表示パネルの表示例（その３）である。
【図１１】表示パネルの表示例（その４）である。
【図１２】表示パネルの表示例（その５）である。
【図１３】表示パネルの表示例（その６）である。
【発明を実施するための形態】
【００１６】
＜実施例＞
図１に、本願に係る実施例として例示される多機能機１０（Multifunction Peripheral（ＭＦＰ）ともいう）のブロック図を示す。
【００１７】
＜多機能機１０の構成＞
多機能機１０は、プリンタ機能、スキャナ機能、コピー機能、ファクシミリ機能、電話機能など、複数の機能を有する装置である。多機能機１０は、制御部１２、パネル５０、座標検出部５１、ハードキー５２、印刷部５４、スキャン部５６、ＦＡＸ部５８、ネットワークインターフェイス６０、無線ＬＡＮ通信部６１、等を備える。制御部１２は、ＣＰＵ１４、ＲＯＭ１６、ＲＡＭ３０、ＮＶＲＡＭ（Non Volatile RAM）４０、等を有する。
【００１８】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための基本機能プログラム１８を記憶している。
【００１９】
ＲＡＭ３０は、揮発性のメモリであり、基本機能プログラム１８に従って処理が実行される過程で生成される各種データを記憶するための記憶領域である。記憶されるデータの例としては、表示実行画面ＩＤ、ログインユーザ情報、表示対象モード情報、が挙げられる。表示実行画面ＩＤは、複数の画面情報ＩＤ１１１の各々で識別される複数の画面のうち、何れの画面をパネル５０に表示するか、についてのポインタとして機能するデータである。ログインユーザ情報は、多機能機１０にログインしているユーザを識別する情報である。ログインユーザ情報の一例としては、ユーザＩＤが挙げられる。表示対象モード情報は、後述するお気に入り画面一覧表示処理において、表示対象の画面情報ＩＤ１１１を抽出する際に用いられる情報である。
【００２０】
ＮＶＲＡＭ４０には、各種のパラメータが記憶されている。記憶されるパラメータの例としては、リセット時間、長押し時間、が挙げられる。リセット時間は、後述する表示リセット処理を開始させる際に用いられる時間である。長押し時間は、マーク表示領域Ａ１に「長押し」の入力態様で指示座標が入力されたか否かを判断するための時間である。本実施形態では、長押し時間が「３秒」に設定されている場合を説明する。
【００２１】
また、ＮＶＲＡＭ４０には、テーブルＴＢ１およびＴＢ２が記憶されている。テーブルＴＢ１は、パネル５０に切り替えて表示される複数の画面の各々について、各種の情報を記憶するテーブルである。図６に、本実施形態におけるテーブルＴＢ１の一例を示す。テーブルＴＢ１は、画面情報ＩＤ１１１、ページ番号１１２、お気に入り画面登録１１３、モード１１４、マーク表示領域座標１１４ａ、報知画像表示色１２０、ホーム画面設定１２１を記憶する。
【００２２】
画面情報ＩＤ１１１を説明する。パネル５０には、階層構造を有する複数の画面が、互いに切り替えられながら表示される。画面情報ＩＤ１１１は、当該複数の画面の各々を識別する情報である。複数の画面の各々は、画面情報ＩＤ１１１の各行に記憶されている情報に基づいて表示される。
【００２３】
ページ番号１１２は、画面情報ＩＤ１１１で識別される画面のページ番号である。例えば、画面情報ＩＤ１１１が「ＩＤ：０３」であり、ページ番号１１２が「２」である場合には、画面情報ＩＤ１１１＝「ＩＤ：０３」で識別される画面のうちの２ページ目の画面であることを示している。
【００２４】
お気に入り画面登録１１３は、画面情報ＩＤ１１１およびページ番号１１２で特定される画面の設定を、「お気に入り登録有り」と「お気に入り登録無し」との間で切り替える情報である。「お気に入り登録有り」の画面は、後述するお気に入り画面一覧表示処理において、「お気に入り登録有り」の画面のサムネイル画面がパネル５０に表示される。一方、「お気に入り登録無し」の画面は、お気に入り画面一覧表示処理において、サムネイル画面が表示されない。
【００２５】
モード１１４は、画面情報ＩＤ１１１およびページ番号１１２で特定される画面が、多機能機１０が有する複数の機能（ファックス機能、コピー機能、スキャナ機能など）のうち、何れの機能に関連する画面であるかを示す情報である。
【００２６】
マーク表示領域座標１１４ａは、後述するマーク表示領域Ａ１の、パネル５０上での表示領域を示す情報である。座標Ｃ１は、矩形形状の表示領域の左上隅部を示す座標である。座標Ｃ２は、矩形形状の表示領域の右下隅部を示す座標である。
【００２７】
報知画像表示色１２０は、後述する報知画像Ｇ１を表示する際の色彩である。報知画像表示色１２０は、モード１１４の種類に対応していてもよい。図６のテーブルＴＢ１の例では、モード１１４の「メニュー」、「コピー」、「ファックス」の各々に、報知画像表示色１２０の「紫」「赤」「青」の各色が割り当てられている。
【００２８】
ホーム画面設定１２１は、画面情報ＩＤ１１１のうちの何れをホーム画面に設定するかの情報である。ホーム画面は、電源投入時に最初に表示される画面である。またホーム画面は、表示リセット処理の実行によってパネル５０に表示される画面である。
【００２９】
テーブルＴＢ２は、「お気に入り登録有り」に設定された画面の各種情報を記憶するテーブルである。図７に、本実施形態におけるテーブルＴＢ２の一例を示す。テーブルＴＢ２は、画面情報ＩＤ１１１、ページ番号１１２、お気に入り画面登録１１３、モード１１４、マーク表示領域座標１１４ａ、を記憶する。さらにテーブルＴＢ２は、ユーザＩＤ１１５、お気に入り登録名１１６、日時情報１１７、を記憶する。
【００３０】
ユーザＩＤ１１５は、お気に入り登録を実行したユーザを識別する情報である。お気に入り登録名１１６は、後述するお気に入り画面一覧表示処理において表示される、「お気に入り登録有り」の画面のサムネイル画面の名称である。日時情報１１７は、お気に入り画面の登録が実行された日時の情報である。
【００３１】
印刷部５４は、印刷を実行する部位である。スキャン部５６は、原稿を読み取ってデータ化する部位である。ＦＡＸ部５８は、データ化された原稿を送受信する部位である。ネットワークインターフェイス６０は、有線ＬＡＮ回線４に接続されており、各種のデータを送受信する部位である。無線ＬＡＮ通信部６１は、無線ＬＡＮ通信によってアクセスポイント（不図示）と各種の通信を実行する部位である。
【００３２】
図１に示すように、多機能機１０の上面正面側には、パネル５０が設けられている。パネル５０は、各種の画像を表示する部位である。パネル５０の表面には、透明な平板部を有する座標検出部５１が、パネル５０を覆うように備えられている。座標検出部５１は、ユーザの指や、スタイラス（タッチパネル用ペン）が接触または接近された指示座標を検出する機能を有する。パネル５０および座標検出部５１は、いわゆるタッチパネルとして機能する。パネル５０には、基本機能プログラム１８のＡＰＩ（Application Program Interface）を用いて、各種の画像が表示される。
【００３３】
図８〜図１３に、パネル５０に表示される画面の表示例を示す。図８に、テーブルＴＢ１（図６）の画面情報ＩＤ１１１＝「ＩＤ：０１」、ページ番号１１２＝「１」の情報に基づいて表示される、ホーム画面Ｐ１を示す。ホーム画面Ｐ１では、ボタン画像として、「ウェブ」ボタンＢ１、「ディスク」ボタンＢ２、「メニュー」ボタンＢ３、「ファックス」ボタンＢ１１、「コピー」ボタンＢ１２、「スキャン」ボタンＢ１３、「ログイン」ボタンＢ１４が表示される。また、日付情報および時間情報が表示される。
【００３４】
「ウェブ」ボタンＢ１は、インターネット上に保存されているデータを用いて多機能機１０を動作させるための画面を、パネル５０に表示させるためのボタンである。「ディスク」ボタンＢ２は、ディスク形状の記録媒体の印刷面に画像を印刷するための画面を、パネル５０に表示させるためのボタンである。「メニュー」ボタンＢ３は、多機能機１０の各種の設定を行うための画面（メニュー画面Ｐ２（図９））をパネル５０に表示させるためのボタンである。
【００３５】
「ファックス」ボタンＢ１１は、ファックス機能に対応する画面を、パネル５０に表示させるためのボタンである。「コピー」ボタンＢ１２は、コピー機能に対応する画面（コピー画面Ｐ３（図１０））を、パネル５０に表示させるためのボタンである。「スキャン」ボタンＢ１３は、スキャン機能に対応する画面を、パネル５０に表示させるためのボタンである。「ログイン」ボタンＢ１４は、ユーザログインを実行するための画面をパネル５０に表示させるためのボタンである。
【００３６】
図９に、テーブルＴＢ１（図６）の画面情報ＩＤ１１１＝「ＩＤ：０２」、ページ番号１１２＝「１」の情報に基づいて表示される、メニュー画面Ｐ２を示す。メニュー画面Ｐ２は、「メニュー」ボタンＢ３（図８）がタッチされることに従って、ホーム画面Ｐ１に代えてパネル５０に表示される画面である。メニュー画面Ｐ２は、多機能機１０の各種機能に関するパラメータ設定を行うための画像である。メニュー画面Ｐ２では、ボタン画像として、「一般設定」ボタンＢ４、「ファックス」ボタンＢ５、「ネットワーク」ボタンＢ６、が表示される。
【００３７】
「一般設定」ボタンＢ４は、多機能機１０の各種の設定を行うための設定画面を、パネル５０に表示させるためのボタンである。「ファックス」ボタンＢ５は、ファックス機能に関する各種の設定を実行するための画面を、パネル５０に表示させるためのボタンである。「ネットワーク」ボタンＢ６は、インターネット上に保存されているデータを用いて多機能機１０を動作させるための画面を、パネル５０に表示させるためのボタンである。
【００３８】
またメニュー画面Ｐ２には、各種のボタン画像と重複しない領域に、マーク表示領域Ａ１が設定される。図６のテーブルＴＢ１の例では、メニュー画面Ｐ２（画面情報ＩＤ１１１＝「ＩＤ：０２」、ページ番号１１２＝「１」）についてのお気に入り画面登録１１３が「お気に入り登録無し」であるため(領域Ｒ１１)、マーク表示領域Ａ１には報知画像Ｇ１が表示されない。
【００３９】
図１０に、テーブルＴＢ１（図６）の画面情報ＩＤ１１１＝「ＩＤ：０３」、ページ番号１１２＝「１」の情報に基づいて表示される、コピー画面Ｐ３を示す。コピー画面Ｐ３は、「コピー」ボタンＢ１２（図８）がタッチされることに従って、ホーム画面Ｐ１に代えてパネル５０に表示される画面である。コピー画面Ｐ３は、コピー機能に関する各種のパラメータ設定を行うための画面である。コピー画面Ｐ３では、スクロールボタンＢ２１、「Ｑｕａｌｉｔｙ」ボタンＢ２２、「Ｐａｐｅｒ  Ｔｙｐｅ」ボタンＢ２３、「Ｐａｐｅｒ  Ｓｉｚｅ」ボタンＢ２４、が表示される。なお、各ボタン内容についての説明は省略する。
【００４０】
コピー画面Ｐ３には、各種のボタン画像と重複しない領域に、マーク表示領域Ａ１が設定される。図６のテーブルＴＢ１の例では、コピー画面Ｐ３（画面情報ＩＤ１１１＝「ＩＤ：０３」、ページ番号１１２＝「１」）についてのお気に入り画面登録１１３が「お気に入り登録有り」であるため(領域Ｒ１２)、マーク表示領域Ａ１には報知画像Ｇ１が表示される。報知画像Ｇ１は、現在パネル５０に表示中の画面が、お気に入り画面に登録されている旨を、ユーザに報知するための画像である。報知画像Ｇ１は様々な画像であってよく、例えば押しピンの画像であってもよい。
【００４１】
図１１に、テーブルＴＢ１（図６）の画面情報ＩＤ１１１＝「ＩＤ：０３」、ページ番号１１２＝「２」の情報に基づいて表示される、コピー画面Ｐ４を示す。コピー画面Ｐ４は、スクロールボタンＢ２１（図１０）がタッチされることに従って、コピー画面Ｐ３に代えてパネル５０に表示される画面である。コピー画面Ｐ４は、コピー機能に関するパラメータ設定を行うための画面であり、前述したコピー画面Ｐ３とページが連続する画面である。コピー画面Ｐ４では、スクロールボタンＢ３１、「Ｐａｇｅ  Ｌａｙｏｕｔ」ボタンＢ３２、「Ｄｕｐｌｅｘ  Ｃｏｐｙ」ボタンＢ３３、「Ａｄｖａｎｃｅｄ  Ｓｅｔｔｉｎｇｓ」ボタンＢ３４、が表示される。なお、各ボタン内容についての説明は省略する。
【００４２】
コピー画面Ｐ４には、各種のボタン画像と重複しない領域に、マーク表示領域Ａ１が設定される。図６のテーブルＴＢ１の例では、コピー画面Ｐ４（画面情報ＩＤ１１１＝「ＩＤ：０３」、ページ番号１１２＝「２」）についてのお気に入り画面登録１１３が「お気に入り登録有り」であるため(領域Ｒ１３)、マーク表示領域Ａ１には報知画像Ｇ１が表示される。
【００４３】
図１２に、テーブルＴＢ１（図６）の画面情報ＩＤ１１１＝「ＩＤ：０４」、ページ番号１１２＝「１」の情報に基づいて表示される、コピー画面Ｐ５を示す。コピー画面Ｐ５は、「Ａｄｖａｎｃｅｄ  Ｓｅｔｔｉｎｇｓ」ボタンＢ３４（図１１）がタッチされることに従って、コピー画面Ｐ４に代えてパネル５０に表示される画面である。コピー画面Ｐ５は、コピー機能に関する高度な設定を行うための画面である。コピー画面Ｐ５では、「Ｗａｔｅｒ  Ｍａｒｋ  Ｃｏｐｙ」ボタンＢ３５、「Ｂｏｏｋ  Ｃｏｐｙ」ボタンＢ３６、が表示される。なお、各ボタン内容についての説明は省略する。
【００４４】
コピー画面Ｐ５には、各種のボタン画像と重複しない領域に、マーク表示領域Ａ１が設定される。図６のテーブルＴＢ１の例では、コピー画面Ｐ５（画面情報ＩＤ１１１＝「ＩＤ：０４」、ページ番号１１２＝「１」）についてのお気に入り画面登録１１３が「お気に入り登録有り」であるため(領域Ｒ１４)、マーク表示領域Ａ１には報知画像Ｇ１が表示される。
【００４５】
図１３に、お気に入り画面一覧画面Ｐ６の一例を示す。お気に入り画面一覧画面Ｐ６は、後述するお気に入り画面一覧表示処理（Ｓ２１８）によってパネル５０に表示される画面である。お気に入り画面一覧画面Ｐ６では、サムネイルＳ３およびＳ５が表示される。サムネイルＳ３は、コピー画面Ｐ３（図１０）のサムネイルである。サムネイルＳ５は、コピー画面Ｐ５（図１２）のサムネイルである。サムネイルＳ３の左上隅部にはお気に入り登録解除ボタンＢ５１が表示され、サムネイルＳ５の左上隅部にはお気に入り登録解除ボタンＢ５２が表示される。お気に入り登録解除ボタンＢ５１およびＢ５２は、コピー画面Ｐ３およびＰ５のお気に入り登録を解除する処理を開始するためのボタンである。
【００４６】
サムネイルＳ３の右側には、コピー画面Ｐ３のお気に入り登録に関する情報（日時情報１１７、モード１１４、お気に入り登録名１１６）および「Ｅｄｉｔ」ボタンＢ４１が表示される。「Ｅｄｉｔ」ボタンＢ４１は、コピー画面Ｐ３のお気に入り登録名１１６の編集を開始するためのボタン画像である。同様に、サムネイルＳ５の右側には、コピー画面Ｐ５のお気に入り登録に関する情報（日時情報１１７、モード１１４、お気に入り登録名１１６）および「Ｅｄｉｔ」ボタンＢ４２が表示される。「Ｅｄｉｔ」ボタンＢ４２は、コピー画面Ｐ５のお気に入り登録名１１６の編集を開始するためのボタン画像である。またお気に入り画面一覧画面Ｐ６には、スクロールボタンＢ４３、表示対象切り替えボタン画像Ｇ２が表示される。スクロールボタンＢ４３は、お気に入り画面一覧画面の次ページの画面を表示させるためのボタンである。表示対象切り替えボタン画像Ｇ２は、後述するように、表示対象モード情報を変更するボタンである。
【００４７】
＜多機能機１０の動作＞
多機能機１０の動作について、図２から図４のフローチャートを用いて説明する。図２から図４のフローは、多機能機１０の電源がオンされることにより開始され、電源がオフされるまで実行され続ける。
【００４８】
Ｓ２０２においてＣＰＵ１４は、テーブルＴＢ１においてホーム画面設定１２１が「ホーム画面」に設定されている画面についての、画面情報ＩＤ１１１およびページ番号１１２を、表示実行画面ＩＤとしてＲＡＭ３０に記憶させる。Ｓ２０４においてＣＰＵ１４は、表示実行画面ＩＤに設定されている画面情報ＩＤ１１１およびページ番号１１２に対応する画面を、パネル５０に表示する。
【００４９】
Ｓ２０６においてＣＰＵ１４は、現在表示中の画面が、お気に入り画面に登録されているか否かを判断する。具体的には、テーブルＴＢ１における現在表示中の画面の画面情報ＩＤ１１１が含まれている行において、お気に入り画面登録１１３が、「お気に入り登録有り」に設定されているかを読み出す。「お気に入り登録無し」に設定されている場合には、現在表示中の画面がお気に入り画面に登録されていないと判断され（Ｓ２０６：ＮＯ）、Ｓ２１２へ進む。一方、「お気に入り登録有り」に設定されている場合には、現在表示中の画面がお気に入り画面に登録されていると判断され（Ｓ２０６：ＹＥＳ）、Ｓ２０８へ進む。
【００５０】
Ｓ２０８において、ＣＰＵ１４は、マーク表示領域Ａ１に報知画像Ｇ１を表示する。そしてＳ２１２へ進む。Ｓ２１２において、ＣＰＵ１４は、マーク表示領域Ａ１がタッチされたか否かを判断する。具体的には、ＣＰＵ１４は、タッチ入力が行われた位置に応じた指示座標を、座標検出部５１から取得する。そして取得した指示座標が、現在表示中の画面の画面情報ＩＤ１１１が含まれている行における、マーク表示領域座標１１４ａの領域内であるか否かを判断する。
【００５１】
マーク表示領域Ａ１がタッチされていない場合（Ｓ２１２：ＮＯ）にはＳ２１６へ進み、マーク表示領域Ａ１がタッチされた場合（Ｓ２１２：ＹＥＳ）にはＳ２１４へ進む。Ｓ２１４において、ＣＰＵ１４は、お気に入り画面設定処理を実行する。お気に入り画面設定処理は、現在表示されている画面を、お気に入り画面として登録したり、お気に入り画面の登録から解除するための処理である。お気に入り画面設定処理の内容については、後述する。お気に入り画面設定処理が終了すると、Ｓ２１６へ進む。
【００５２】
Ｓ２１６において、ＣＰＵ１４は、マーク表示領域Ａ１が長押しされたか否かを判断する。具体的には、ＣＰＵ１４は、マーク表示領域Ａ１への座標入力が長押し時間（３秒）以上行われたか否かを判断する。マーク表示領域Ａ１への座標入力が長押し時間（３秒）より小さい場合には、マーク表示領域Ａ１が長押しされていないと判断され（Ｓ２１６：ＮＯ）、Ｓ２２０へ進む。一方、マーク表示領域Ａ１への座標入力が長押し時間（３秒）以上である場合には、マーク表示領域Ａ１が長押しされたと判断され（Ｓ２１６：ＹＥＳ）、Ｓ２１８へ進む。
【００５３】
Ｓ２１８において、ＣＰＵ１４は、お気に入り画面一覧表示処理を実行する。お気に入り画面一覧表示処理は、お気に入り画面として登録されている画面のサムネイルをパネル５０に一覧表示し、選択されたサムネイルの画面をパネル５０に表示するための処理である。お気に入り画面一覧表示処理の内容については、後述する。お気に入り画面一覧表示処理が終了すると、Ｓ２０４へ戻る。
【００５４】
Ｓ２２０において、ＣＰＵ１４は、「ログイン」ボタンＢ１４（図８、ホーム画面Ｐ１）がタッチされたか否かを判断する。タッチされていない場合（Ｓ２２０：ＮＯ）にはＳ２２６へ進み、タッチされた場合（Ｓ２２０：ＹＥＳ）にはＳ２２２へ進む。
【００５５】
Ｓ２２２において、ＣＰＵ１４は、ログイン処理を実行する。ログイン処理の具体例としては、ユーザＩＤおよびパスワードの入力を受け付ける方法が挙げられる。この場合、入力を受け付けたユーザＩＤおよびパスワードが、予め登録してあるユーザＩＤおよびパスワードと一致する場合には、入力を受け付けたユーザＩＤを、ログインユーザ情報としてＲＡＭ３０に記憶させてもよい。これにより、多機能機１０が、複数のユーザのうちの何れのユーザによって使用されているかを識別することが可能となる。
【００５６】
Ｓ２２６においてＣＰＵ１４は、リセット時間内に、何れかのボタン画像がタッチされたか否かを判断する。何れかのボタン画像がタッチされた場合（Ｓ２２６：ＹＥＳ）には、Ｓ２２８へ進み、ＣＰＵ１４は、タッチされたボタン画像に関連付けられている画面情報ＩＤ１１１およびページ番号１１２を、表示実行画面ＩＤとしてＲＡＭ３０に記憶させる。そしてＳ２０４へ進み、新たに記憶された画面情報ＩＤ１１１に対応する画面を、パネル５０に表示する。これにより、ボタン画像をタッチすることに応じて画面を切り替える処理が行われる。
【００５７】
一方、リセット時間内に何れのボタン画像もタッチされない場合（Ｓ２２６：ＮＯ）にはＳ２３０へ進み、ＣＰＵ１４は、ホーム画面の画面情報ＩＤ１１１およびページ番号１１２を、表示実行画面ＩＤとしてＲＡＭ３０に記憶させる。そしてＳ２０４へ戻る。これにより、座標検出部５１が最後に指示座標を検出してからリセット時間の間指示座標が検出されないことを条件として（Ｓ２２６：ＹＥＳ）、ホーム画面をパネル５０に表示させる表示リセット処理が実行される（Ｓ２３０、Ｓ２０４）。
【００５８】
＜お気に入り画面設定処理＞
Ｓ２１４で実行されるお気に入り画面設定処理の処理内容を、図３のフローを用いて説明する。Ｓ２４０において、ＣＰＵ１４は、テーブルＴＢ１に記憶されている複数の行のうちから、マーク表示領域Ａ１がタッチされた時点において表示されている画面の画面情報ＩＤ１１１が含まれている行を特定する。そして、特定した行から、お気に入り画面登録１１３を読み出す。
【００５９】
Ｓ２４２において、ＣＰＵ１４は、読み出したお気に入り画面登録１１３が、「お気に入り登録無し」に設定されているか否かを判断する。「お気に入り登録無し」に設定されている場合（Ｓ２４２：ＹＥＳ）には、マーク表示領域Ａ１がタッチされた時点において表示されている画面を、お気に入り画面として新たに登録する場合であると判断され、Ｓ２５２へ進む。
【００６０】
Ｓ２５２において、ＣＰＵ１４は、マーク表示領域Ａ１がタッチされた時点において表示されている画面についての各種情報（画面情報ＩＤ１１１、ページ番号１１２、モード１１４、ユーザＩＤ１１５、マーク表示領域座標１１４ａ、日時情報１１７など）を、テーブルＴＢ２（図７）に新たに記憶する。Ｓ２５４において、ＣＰＵ１４は、マーク表示領域Ａ１がタッチされた時点において表示されている画面についての画面情報ＩＤ１１１を、お気に入り登録名１１６として、テーブルＴＢ２（図７）に新たに記憶する。
【００６１】
Ｓ２５６においてＣＰＵ１４は、Ｓ２４０で特定された行（マーク表示領域Ａ１がタッチされた時点において表示されている画面の画面情報ＩＤ１１１が含まれている行）において、お気に入り画面登録１１３を「お気に入り登録有り」に設定する。
【００６２】
Ｓ２５８において、ＣＰＵ１４は、マーク表示領域Ａ１に、報知画像Ｇ１を表示する。このとき報知画像Ｇ１は、報知画像表示色１２０に基づいた色で表示される。そしてフローを終了する。
【００６３】
一方、Ｓ２４２において、読み出したお気に入り画面登録１１３が「お気に入り登録有り」に設定されている場合（Ｓ２４２：ＮＯ）には、マーク表示領域Ａ１がタッチされた時点において表示されている画面の、お気に入り画面の登録を解除する場合であると判断され、Ｓ２６２へ進む。Ｓ２６２において、ＣＰＵ１４は、マーク表示領域Ａ１がタッチされた時点において表示されている画面についての各種情報（画面情報ＩＤ１１１、ページ番号１１２、モード１１４、ユーザＩＤ１１５、マーク表示領域座標１１４ａ、日時情報１１７など）を、テーブルＴＢ２（図７）から削除する。
【００６４】
Ｓ２６４において、ＣＰＵ１４は、マーク表示領域Ａ１がタッチされた時点において表示されている画面についてのお気に入り登録名１１６を、テーブルＴＢ２から削除する。Ｓ２６６において、ＣＰＵ１４は、Ｓ２４０で特定された行（マーク表示領域Ａ１がタッチされた時点において表示されている画面の画面情報ＩＤ１１１が含まれている行）において、お気に入り画面登録１１３を「お気に入り登録無し」に設定する。Ｓ２６８においてＣＰＵ１４は、マーク表示領域Ａ１に表示されていた報知画像Ｇ１を消去する。そしてフローを終了する。
【００６５】
＜お気に入り画面一覧表示処理＞
Ｓ２１８で実行されるお気に入り画面一覧表示処理の処理内容を、図４および図５のフローを用いて説明する。Ｓ３１０においてＣＰＵ１４は、テーブルＴＢ１に記憶されている複数の行のうちから、マーク表示領域Ａ１が長押しされた時点（Ｓ２１６：ＹＥＳ）において表示されている画面の画面情報ＩＤ１１１およびページ番号１１２が含まれている行を特定する。そして、特定した行から、モード１１４を読み出す。Ｓ３１２においてＣＰＵ１４は、Ｓ３１０で読み出したモード１１４を、表示対象モード情報としてＲＡＭ３０に記憶させる。
【００６６】
Ｓ３１４においてＣＰＵ１４は、一覧表示対象となる画面の画面情報ＩＤ１１１を抽出する。具体的には、テーブルＴＢ２（図７）にお気に入り登録されている複数の画面情報ＩＤ１１１の中から、モード１１４が表示対象モード情報と同一である画面情報ＩＤ１１１を抽出する。
【００６７】
Ｓ３１６においてＣＰＵ１４は、Ｓ３１４で抽出した画面情報ＩＤ１１１のうちから、ユーザＩＤ１１５がログインユーザ情報と一致する画面情報ＩＤ１１１を抽出する。Ｓ３１７においてＣＰＵ１４は、抽出した画面情報ＩＤ１１１を、日時情報１１７が新しい順にソートする。
【００６８】
Ｓ３１８において、ＣＰＵ１４は、Ｓ３１７でソートされた画面情報ＩＤ１１１の各々に関連する画面のサムネイルを、パネル５０に一覧表示する。これにより、図１３のお気に入り画面一覧画面Ｐ６の表示例に示すように、お気に入り画面一覧画面が表示される。なお、一覧表示対象とされるサムネイルの数が、１画面に表示できるサムネイル数よりも大きい場合には、一覧表示対象とされているサムネイルを複数のページに分割し、スクロールボタンがタッチされることに応じてページごとに表示するとしてもよい。
【００６９】
Ｓ３２２において、ＣＰＵ１４は、一覧表示されているサムネイルのうち、何れかのサムネイルがタッチされたか否かを判断する。何れかのサムネイルがタッチされた場合（Ｓ３２２：ＹＥＳ）にはＳ３２４へ進む。Ｓ３２４においてＣＰＵ１４は、タッチされたサムネイルに関連付けられている画面情報ＩＤ１１１およびページ番号１１２を、表示実行画面ＩＤとしてＲＡＭ３０に記憶させる。そしてフローを終了する。
【００７０】
一方、Ｓ３２２において、何れのサムネイルもタッチされていない場合（Ｓ３２２：ＮＯ）には、Ｓ３２６へ進む。Ｓ３２６において、ＣＰＵ１４は、表示対象切り替えボタン画像Ｇ２（図１３）がタッチされたか否かを判断する。表示対象切り替えボタン画像Ｇ２がタッチされた場合（Ｓ３２６：ＹＥＳ）にはＳ３２８へ進み、ＣＰＵ１４は、表示対象モード情報を変更する。そしてＳ３１４へ戻る。Ｓ３２８で行われる表示対象モード情報の変更は、例えば、表示対象切り替えボタン画像Ｇ２がタッチされるたびに、「全機能⇒ファックス⇒コピー⇒スキャン⇒メニュー⇒全機能…」のように切り替えられるとしてもよい。
【００７１】
一方、Ｓ３２６において、表示対象切り替えボタン画像Ｇ２がタッチされていない場合（Ｓ３２６：ＮＯ）にはＳ３３０へ進み、ＣＰＵ１４は、「Ｅｄｉｔ」ボタンがタッチされたか否かを判断する。「Ｅｄｉｔ」ボタンがタッチされた場合（Ｓ３２６：ＹＥＳ）にはＳ３３２へ進み、ＣＰＵ１４は、お気に入り登録名１１６を編集するための画面を表示し、変更入力を受け付ける。Ｓ３３４において、ＣＰＵ１４は、お気に入り登録名の変更が完了した旨の入力を受け付けたか否かを判断する。完了の旨の入力を受け付けていない場合（Ｓ３３４：ＮＯ）には、Ｓ３３２へ戻る。一方、完了の旨の入力を受け付けた場合（Ｓ３３４：ＹＥＳ）には、Ｓ３３５へ進み、テーブルＴＢ２（図７）において、タッチされた「Ｅｄｉｔ」ボタン対応するお気に入り登録名１１６を、入力された登録名に変更する。そしてＳ３１４へ戻る。
【００７２】
また、Ｓ３３０において、「Ｅｄｉｔ」ボタンがタッチされていない場合（Ｓ３３０：ＮＯ）にはＳ３３６へ進み、ＣＰＵ１４は、お気に入り登録解除ボタンがタッチされたか否かを判断する。お気に入り登録解除ボタンがタッチされた場合（Ｓ３３６：ＹＥＳ）には、Ｓ３３８へ進む。Ｓ３３８においてＣＰＵ１４は、タッチされたお気に入り登録解除ボタンに対応する画面を、お気に入り画面の登録から解除してよいか否についての確認画面を、パネル５０に表示する。
【００７３】
Ｓ３４０において、ＣＰＵ１４は、解除ＯＫの旨が入力されたか否かを判断する。解除ＯＫの旨が入力されない場合（Ｓ３４０：ＮＯ）にはＳ３１４へ戻り、解除ＯＫの旨が入力された場合（Ｓ３４０：ＹＥＳ）にはＳ３４２へ進む。Ｓ３４２において、ＣＰＵ１４は、タッチされたお気に入り登録解除ボタンに対応する画面についての各種情報（画面情報ＩＤ１１１、ページ番号１１２、モード１１４、ユーザＩＤ１１５、マーク表示領域座標１１４ａ、日時情報１１７など）を、テーブルＴＢ２（図７）から削除する。Ｓ３４４においてＣＰＵ１４は、テーブルＴＢ１（図６）において、タッチされたお気に入り登録解除ボタンに対応する画面の画面情報ＩＤ１１１が含まれている行のお気に入り画面登録１１３を、「お気に入り登録無し」に設定する。そしてＳ３１４へ戻る。
【００７４】
＜第１の動作例＞
多機能機１０の第１の動作例を説明する。第１の動作例では、お気に入り画面を登録する場合を説明する。例として、図６に示すテーブルＴＢ１および図７に示すテーブルＴＢ２を用いる場合を説明する。また、図６に示すテーブルＴＢ１において、画面情報ＩＤ１１１＝「ＩＤ：０２」が含まれている行のお気に入り画面登録１１３（領域Ｒ１１）が、「お気に入り登録無し」から「お気に入り登録有り」に変更される場合を説明する。また、図８、図９の画面が、パネル５０表示される場合を説明する。
【００７５】
図２のフローが開始されると、画面情報ＩＤ１１１＝「ＩＤ：０１」が含まれている行のホーム画面設定１２１が「ホーム画面」に設定されているため（テーブルＴＢ１、図６、領域Ｒ２１）、画面情報ＩＤ１１１＝「ＩＤ：０１」およびページ番号１１２＝「１」が、表示実行画面ＩＤとしてＲＡＭ３０に記憶される（Ｓ２０２）。画面情報ＩＤ１１１＝「ＩＤ：０１」に対応するホーム画面Ｐ１（図８）が、パネル５０に表示される（Ｓ２０４）。
【００７６】
ここで、ホーム画面Ｐ１に表示されている「メニュー」ボタンＢ３（図８）がタッチされる場合の動作例を説明する。「メニュー」ボタンＢ３にタッチ入力が行われたため（Ｓ２２６：ＹＥＳ）、タッチされた「メニュー」ボタンＢ３に関連付けられている画面情報ＩＤ１１１＝「ＩＤ：０２」およびページ番号１１２＝「１」が、表示実行画面ＩＤとしてＲＡＭ３０に記憶される。新たに記憶された表示実行画面ＩＤに対応するメニュー画面Ｐ２（図９）が、パネル５０に表示される（Ｓ２０４）。現在表示中の画面（メニュー画面Ｐ２）が、お気に入り画面に登録されていないため（図６、領域Ｒ１１）（Ｓ２０６：ＮＯ）、マーク表示領域Ａ１に報知画像Ｇ１が表示されない（Ｓ２０８、図９）。
【００７７】
ここで、メニュー画面Ｐ２（図９）のマーク表示領域Ａ１に、タッチ入力が行われる場合の動作例を説明する。メニュー画面Ｐ２のマーク表示領域Ａ１にタッチ入力が行われたため（Ｓ２１２：ＹＥＳ）、お気に入り画面設定処理が開始される（Ｓ２１４）。マーク表示領域Ａ１がタッチされた時点において表示されている画面（メニュー画面Ｐ２）の画面情報ＩＤ１１１（ＩＤ：０２）が含まれている行から、お気に入り画面登録１１３が読み出される（Ｓ２４０）（図６、領域Ｒ１１）。読み出したお気に入り画面登録１１３が、「お気に入り登録無し」に設定されているため（Ｓ２４２：ＹＥＳ）、マーク表示領域Ａ１がタッチされた時点において表示されている画面（メニュー画面Ｐ２）についての各種情報を、テーブルＴＢ２に新たに記憶する（Ｓ２５２、Ｓ２５４、Ｓ２５６）（図７、領域Ｒ３１）。メニュー画面Ｐ２（図９）のマーク表示領域Ａ１に、報知画像表示色１２０（図６、領域Ｒ２３）に基づいた紫色の報知画像Ｇ１を表示する。
【００７８】
＜第２の動作例＞
多機能機１０の第２の動作例を説明する。第２の動作例では、お気に入り画面一覧表示処理を実行する場合を説明する。例として、図６に示すテーブルＴＢ１および図７に示すテーブルＴＢ２を用いる場合を説明する。また、図１０、図１２、図１３の画面が表示される場合を説明する。
【００７９】
第２の動作例では、画面情報ＩＤ１１１＝「ＩＤ：０３」、ページ番号１１２＝「１」に対応するコピー画面Ｐ３（図１０）が、パネル５０に表示されている時点からの動作例を説明する。また、ユーザＡが多機能機１０にログインしており、「ユーザＡ」のユーザＩＤがログインユーザ情報としてＲＡＭ３０に記憶されている場合を説明する。
【００８０】
ここで、コピー画面Ｐ３（図１０）に表示されているマーク表示領域Ａ１が、長押しされる場合の動作例を説明する。マーク表示領域Ａ１が長押しされたため（Ｓ２１６：ＹＥＳ）、お気に入り画面一覧表示処理が開始される（Ｓ２１８）。マーク表示領域Ａ１が長押しされた時点において表示されている画面（コピー画面Ｐ３）の画面情報ＩＤ１１１およびページ番号１１２が含まれている行から、モード１１４＝「コピー」が読み出される（Ｓ３１０）（図６、領域Ｒ２４）。読み出されたモード１１４＝「コピー」が、表示対象モード情報としてＲＡＭ３０に記憶される（Ｓ３１２）。
【００８１】
表示対象モード情報が「コピー」であるため、モード１１４が「コピー」である画面情報ＩＤ１１１が、テーブルＴＢ２から抽出される（Ｓ３１４）（図７、領域Ｒ３２）。さらに、ユーザＩＤ１１５がログインユーザ情報（ユーザＡ）と一致する画面情報ＩＤ１１１が、テーブルＴＢ２から抽出される（Ｓ３１６）（図７、領域Ｒ３３）。これにより、コピー画面Ｐ３（図１０）およびコピー画面Ｐ５（図１２）が抽出される。抽出された画面（コピー画面Ｐ３およびＰ５）のサムネイルを含んでいるお気に入り画面一覧画面Ｐ６（図１３）が、コピー画面Ｐ３に代えて、パネル５０に表示される（Ｓ３１８）。
【００８２】
ここで、お気に入り画面一覧画面Ｐ６に表示されているサムネイルのうち、コピー画面Ｐ５のサムネイルＳ５がタッチされる場合の動作例を説明する。サムネイルＳ５がタッチされると（Ｓ３２２：ＹＥＳ）、タッチされたサムネイルＳ５に関連付けられている画面情報ＩＤ１１１＝「ＩＤ：０４」およびページ番号１１２＝「１」が、表示実行画面ＩＤとしてＲＡＭ３０に記憶される（Ｓ３２４）。そして、新たに記憶された表示実行画面ＩＤに対応するコピー画面Ｐ５（図１２）が、お気に入り画面一覧画面Ｐ６に代えて、パネル５０に表示される（Ｓ２０４）。
【００８３】
＜効果＞
本実施例に係る多機能機１０の効果を説明する。本実施例に係る多機能機１０では、階層化された多くの画面が存在する場合において、表示させたい画面をお気に入り画面として予めテーブルＴＢ２に記憶させることができる（Ｓ２５６）。また、マーク表示領域Ａ１への長押しの入力を受け付けることで、複数のお気に入り画面の各々に関連するサムネイルを、パネル５０に表示させることができる（Ｓ３１８）。そして、複数のサムネイルの何れかの選択を受け付けることで（Ｓ３２２：ＹＥＳ）、選択されたサムネイルに関連するお気に入り画面をパネル５０に表示させることができる（Ｓ３２４、Ｓ２０４）。これにより、お気に入り画面として記憶させた画面を、階層構造を辿る場合に比して簡易な手続きで表示させることができる。よって、ユーザが表示させたい画面を速やかに表示させることができるため、ユーザの利便性を向上させることができる。
【００８４】
本実施例に係る多機能機１０では、お気に入り画面として記憶されている画面がパネル５０に表示されている場合には、当該画面のマーク表示領域Ａ１に報知画像Ｇ１を表示することができる（Ｓ２０８）。これにより、表示されている画面がお気に入り画面に設定されているか否かを容易に認識することができるため、同一の画面を重複してお気に入り画面に設定してしまう事態等を防止することができる。
【００８５】
本実施例に係る多機能機１０では、日時情報１１７に基づいた順番（新しいもの順）で、サムネイルを表示することができる（Ｓ３１７、Ｓ３１８）。これにより、複数のサムネイルの中からユーザが表示を所望するサムネイルを見つけ易くすることができる。
【００８６】
本実施例に係る多機能機１０では、多機能機１０で現在使用中の機能（例：コピー、ファックスなど）に関連するサムネイルを、複数のサムネイルの中から抽出した上で表示することができる（Ｓ３１４）。これにより、ユーザが表示を所望するサムネイルを見つけ易くすることができる。
【００８７】
本実施例に係る多機能機１０では、多機能機１０を現在使用中のユーザが記憶させたお気に入り画面のサムネイルを、複数のサムネイルの中から抽出した上で表示することができる（Ｓ３１６）。これにより、ユーザが表示を所望するサムネイルを見つけ易くすることができる。
【００８８】
本実施例に係る多機能機１０では、マーク表示領域Ａ１を、お気に入り画面設定処理の実行指示の入力（タッチ）を受け付ける領域と（Ｓ２１２）、お気に入り画面一覧表示処理の実行指示の入力（長押し）を受け付ける領域と（Ｓ２１６）と、で共用することができる。これにより、お気に入り画面一覧表示処理の入力を受け付けるための専用の領域やボタン等を、不用にすることができる。
【００８９】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。以下に変形例を示す。
【００９０】
＜変形例＞
多機能機１０は、多機能機１０で使用されている機能（ファックス、コピー、スキャン）を検出する機能検出手段を備えるとしてもよい。機能検出手段の一例としては、ＦＡＸ送信台やスキャン原稿台への原稿のセットの有無を検出するセンサが挙げられる。また、Ｓ３１４において、テーブルＴＢ２（図７）にお気に入り登録されている複数の画面情報ＩＤ１１１の中から、機能検出手段で検出された機能とモード１１４が同一である画面情報ＩＤ１１１を抽出する、としてもよい。これにより、多機能機１０で現在使用中の機能に関連するサムネイルを、複数のサムネイルの中から自動的に抽出した上で表示することができる。よって、ユーザが表示を所望するサムネイルを見つけ易くすることができる。
【００９１】
Ｓ２１６において、お気に入り画面一覧表示処理の実行を開始するためのマーク表示領域Ａ１への座標入力の態様は、長押しの態様に限られない。Ｓ２１４における、お気に入り画面設定処理の実行を開始するためのマーク表示領域Ａ１への座標入力の態様と異なる態様であれば、何れの態様であってもよく、例えばダブルタッチやフリックなどの態様でもよい。また、お気に入り画面一覧表示処理の実行を開始するためのボタンと、お気に入り画面設定処理の実行を開始するためのボタンは、共通のボタンでなくてもよい。何れか一方のボタンが、別ボタンとしてパネル５０に表示されてもよいし、ハードキーとして備えられていても良い。
【００９２】
Ｓ３１７において、抽出した画面情報ＩＤ１１１をソートする順番は、各種の順番であってよい。例えば、日時情報１１７が古い順にソートしてもよい。
【００９３】
Ｓ３１２において、表示対象モード情報として記憶されるモードは、全てのモードであってもよい。この場合は、モードを用いた画面情報ＩＤ１１１の抽出処理は実行されないことになる。
【００９４】
本願の技術の特徴は、パネル５０の表示形態に関する点にある。よって、本願の技術の適用範囲は多機能機１０に限定されず、表示画面を有する各種の装置（携帯電話、ノートＰＣなど）に適用可能である。
【００９５】
なお、ＲＯＭ１６やＮＶＲＡＭ４０に記憶されている各種の情報は、外部記憶装置に記憶されるとしてもよい。そして外部記憶装置から各種の情報が読み出され、ＲＡＭ３０に一旦記憶された上で、各種の処理が行なわれるとしてもよい。外部記憶装置の例としては、メモリーカードや外付のハードディスクなどが挙げられる。
【００９６】
なお、パネル５０は表示手段の一例である。座標検出部５１は座標検出手段の一例である。多機能機１０は画像形成装置の一例である。「ウェブ」ボタンＢ１、「ディスク」ボタンＢ２などは第１領域の一例である。マーク表示領域Ａ１は第２領域の一例である。Ｓ２０４を実行するＣＰＵ１４は表示制御手段の一例である。タッチは第１入力態様の一例である。画面情報ＩＤ１１１は識別情報の一例である。お気に入り画面は特定画面の一例である。ＲＡＭ３０、又は、ＮＶＲＡＭ４０は、記憶部の一例である。Ｓ２５２を実行するＣＰＵ１４は記憶制御手段の一例である。マーク表示領域Ａ１の長押しは所定の指示の一例である。サムネイルは識別画像の一例である。Ｓ３２２を実行するＣＰＵ１４は受付手段の一例である。Ｓ２２２を実行するＣＰＵ１４はユーザ識別手段の一例である。ユーザＩＤ１１５はユーザ識別情報の一例である。長押しは第２入力態様の一例である。
【符号の説明】
【００９７】
１０：多機能機、５０：パネル、５１：座標検出部、Ａ１：マーク表示領域、ＴＢ１およびＴＢ２：テーブル
【図１】
0005910070.tif 000002
【図２】
0005910070.tif 000003
【図３】
0005910070.tif 000004
【図４】
0005910070.tif 000005
【図５】
0005910070.tif 000006
【図６】
0005910070.tif 000007
【図７】
0005910070.tif 000008
【図８】
0005910070.tif 000009
【図９】
0005910070.tif 000010
【図１０】
0005910070.tif 000011
【図１１】
0005910070.tif 000012
【図１２】
0005910070.tif 000013
【図１３】
0005910070.tif 000014